(57)【要約】【課題】いつも見ている好みの放送番組を確実にユーザに提供できるようにする。【解決手段】ユーザの選局操作があったときに、選局手段での選局内容を、ユーザの好みの番組の候補として記憶手段に記憶する。判定手段は、記憶手段の記憶内容を調べ、ユーザの好みの放送番組があるかどうか判定する。制御手段は、判定手段での判定結果によりユーザの好みの番組の存在を検知したときに、ユーザの好みの放送番組を選択するようにする選局制御信号を発生させると共に、ユーザの好みの放送番組の信号を、放送番組記録手段により自動記録するように制御する。記憶手段に記憶されている選局手段での選局内容の情報には、ユーザの好みに応じて重み付けが施されている。制御手段は、記憶手段に記憶された重み付けが施された情報を基にして判定手段により判定されたユーザの好みの番組を自動記録するように制御する。【選択図】        図１
2004350316.tif 000002
【特許請求の範囲】
【請求項１】
選局制御信号に応じて、放送波から所望の放送番組を選択する選局手段と、
ユーザの選局操作に応じて前記選局制御信号を発生する選局制御信号発生手段と、
前記ユーザの選局操作があったときに、前記選局手段での選局内容を、前記ユーザの好みの番組の候補として記憶する記憶手段と、
前記放送波から選択される放送番組の信号を記録媒体に記録するようにする放送番組記録手段と、
前記記憶手段の記憶内容を調べ、前記ユーザの好みの放送番組があるかどうか判定する判定手段と、
前記判定手段での判定結果により前記ユーザの好みの番組の存在を検知したときに、前記選局制御信号発生手段を制御して、前記ユーザの好みの放送番組を選択するようにする選局制御信号を発生させると共に、前記ユーザの好みの放送番組の信号を、前記放送番組記録手段により自動記録するように制御する制御手段と
を備え、
前記記憶手段に記憶された前記選局手段での選局内容の情報には、前記ユーザの好みに応じて重み付けが施され、
前記制御手段は、前記記憶手段に記憶された前記重み付けが施された情報を基にして前記判定手段により判定された前記ユーザの好みの番組を自動記録する
ことを特徴とする放送受信装置。
【請求項２】
請求項１に記載の放送受信装置において、
前記選局手段において選択される番組を、予め決められた時刻で検査し、その検査結果を前記時刻に対応可能な状態で、前記記憶手段に記憶するようにした
ことを特徴とする放送受信装置。
【請求項３】
前記決められた時刻は、一定時間間隔である
ことを特徴とする請求項２に記載の放送受信装置。
【請求項４】
請求項１に記載の放送受信装置において、
時刻情報を提供する時計回路を備えると共に、前記ユーザの選局操作の契機で、前記選局手段における選局内容を検査し、その検査結果の選局内容を、前記時計回路から得られる前記選局内容の検査の時刻の情報と共に、前記記憶手段に記憶するようにした
ことを特徴とする放送受信装置。
【請求項５】
前記制御手段において前記ユーザの好みの放送番組が前記記録手段に自動記録されるように制御された場合、当該自動記録を行った履歴をメモリに記憶する
ことを特徴とする請求項１に記載の放送受信装置。
【請求項６】
前記自動記録を行った履歴を記憶する前記メモリに記憶された前記自動記録の履歴内容を読み出し、表示手段に表示する
ことを特徴とする請求項５に記載の放送受信装置。
【請求項７】
前記表示手段に表示された前記自動記録の履歴内容から、いずれか一つの前記自動記録の履歴を選択する選択手段と、
前記選択された前記自動記録の履歴に対応する、前記自動記録された放送番組を再生する手段と、
を備えることを特徴とする請求項６に記載の方送受信装置。
【請求項８】
前記制御手段は、前記判定手段での判定結果により前記ユーザの好みの番組の存在を検知した場合であって、前記選局手段が前記ユーザの好みの番組を選択していないときのみ、前記選局制御信号発生手段を制御して、前記ユーザの好みの放送番組を選択するようにする選局制御信号を発生させると共に、前記ユーザの好みの放送番組の信号を、前記放送番組記録手段により自動記録するように制御する
ことを特徴とする請求項１に記載の放送受信装置。
【請求項９】
ユーザの選局操作に応じて選局制御信号を発生する選局制御信号発生工程と、
前記選局制御信号に応じて、放送波から所望の放送番組を選択する選局工程と、
前記ユーザの選局操作があったときに、前記選局工程での選局内容を、前記ユーザの好みの番組の候補として記憶手段に記憶する記憶工程と、
前記記憶手段の記憶内容を調べ、前記ユーザの好みの放送番組があるかどうか判定する判定工程と、
前記判定工程での判定結果により前記ユーザの好みの番組の存在を検知したときに、前記ユーザの好みの放送番組を選択するようにする選局制御信号を発生させると共に、前記ユーザの好みの放送番組の信号を、記録媒体に自動記録するように制御する制御工程と
を備え、
前記記憶手段に記憶された前記選局工程での選局内容の情報には、前記ユーザの好みに応じて重み付けが施され、
前記制御工程では、前記記憶手段に記憶された前記重み付けが施された情報を基にして前記判定工程により判定された前記ユーザの好みの番組を自動記録するように制御する
ことを特徴とする高頻度受信番組自動記録方法。
【請求項１０】
請求項９に記載の高頻度受信番組自動記録方法において、
前記選局工程において選択される番組を、予め決められた時刻で検査し、その検査結果を前記時刻に対応可能な状態で、前記記憶手段に記憶するようにした
ことを特徴とする高頻度受信番組自動記録方法。
【請求項１１】
請求項１０に記載の高頻度受信番組自動記録方法において、
前記決められた時刻は、一定時間間隔である
ことを特徴とする高頻度受信番組自動記録方法。
【請求項１２】
請求項９に記載の高頻度受信番組自動記録方法において、
前記ユーザの選局操作の契機で、前記選局工程における選局内容を検査し、その検査結果の選局内容を、時計回路から得られる前記選択状態の検査の時刻の情報と共に、前記記憶手段に記憶するようにする
ことを特徴とする高頻度受信番組自動記録方法。
【請求項１３】
請求項９に記載の高頻度受信番組自動記録方法において、
前記制御工程において前記ユーザの好みの放送番組が前記記録手段に自動記録されるように制御された場合、当該自動記録を行った履歴をメモリに記憶する工程を備える
ことを特徴とする高頻度受信番組自動記録方法。
【請求項１４】
請求項１３に記載の高頻度受信番組自動記録方法において、
前記自動記録を行った履歴を記憶する前記メモリに記憶された前記自動記録の履歴内容を随時読み出し、表示手段に表示する工程を備える
ことを特徴とする高頻度受信番組自動記録方法。
【請求項１５】
請求項１４に記載の高頻度受信番組自動記録方法において、
前記表示手段に表示された前記自動記録の履歴内容から、いずれか一つの前記自動記録の履歴を選択する選択工程と、
前記選択された前記自動記録の履歴に対応する、前記自動記録された放送番組を再生する工程と、
を備えることを特徴とする高頻度受信番組自動記録方法。
【請求項１６】
請求項９に記載の高頻度受信番組自動記録方法において、
前記制御工程では、前記判定工程での判定結果により前記ユーザの好みの番組の存在を検知した場合であって、前記選局工程で前記ユーザの好みの番組を選択していないときのみ、前記ユーザの好みの放送番組を選択するようにする選局制御信号を発生させると共に、前記ユーザの好みの放送番組の信号を、自動記録するように制御する
ことを特徴とする高頻度受信番組自動記録方法。
【発明の詳細な説明】
【技術分野】
【０００１】
この発明は、ユーザが高頻度で受信している好みの番組を、自動記録できるようにする放送受信装置および高頻度受信番組自動記録方法に関する。
【背景技術】
【０００２】
放送受信装置で放送番組の視聴を行なう場合において、ユーザはある特定の時間は毎週同じ番組を視聴するような傾向が多々ある。特に連続番組や自分の好みの放送番組の場合に、同曜日の同一時刻には、その放送番組を視聴するために、いつも同一のプログラム対応チャンネルを選局していることが多いものである。
【０００３】
ここで、この明細書において、プログラム対応チャンネルというときには、放送局に割り当てられたチャンネル番号を示し、放送波の伝送帯域を分割した周波数帯ごとに番号が付与された伝送チャンネルと区別することとする。ちなみに、現在の日本における地上波によるアナログテレビ放送においては、通常、伝送チャンネルの番号とプログラム対応チャンネルの番号とは一致している場合が多く、その場合には、時間帯が特定されれば、当該プログラム対応チャンネルは放送番組そのものを指すことになる。
【０００４】
ところで、ユーザが放送受信装置で放送番組を視聴している場合に、時間の経過を忘れ、あるいは他のプログラム対応チャンネルの選局状態をし続けるなどして、毎週視聴している放送番組（以下、このように高頻度で視聴する放送番組を高頻度視聴番組といい、また、この高頻度視聴番組のプログラム対応チャンネルを高頻度視聴チャンネルという）を見落とす場合が生じることがある。
【０００５】
この点にかんがみ、本出願人は、曜日、時間をパラメータとして、当該曜日、時間においてチューナで選択しているプログラム対応チャンネルを逐次記憶する選局情報記憶手段を設けておき、この記憶手段の記憶内容からチューナで選局された各プログラム対応チャンネルの度数を積算して、それが高頻度視聴チャンネルであるか否かを判定するようにすると共に、現時点と同曜日、同時刻に高頻度視聴チャンネルがあるときに、それが現在視聴しているプログラム対応チャンネルと不一致であるとき、すなわち、いつもよく見ている放送番組をその時に見ていなかったときに、アドバイス情報を画面又は音声によって出力し、視聴者に注意を喚起するようにした受信装置を先に提案している（特許文献１（特開平５−１７６２４３号公報）参照）。
【０００６】
この先の提案においては、放送受信装置の電源スイッチがオフであるときにも、このアドバイス情報をユーザが得られるように、このときには音声出力により、前記の注意喚起を行なうようにしている。
【０００７】
上記の特許文献は、次の通りである。
【特許文献１】特開平５−１７６２４３号公報
【発明の開示】
【発明が解決しようとする課題】
【０００８】
ところが、前記のように、アドバイス情報が放送受信装置からユーザに対して供与されたとしても、これは一般に、たとえばいつも「Ａチャンネルを見ています」などの情報しか得られず、その注意喚起された高頻度視聴の番組内容をじかに知ることはできない。
【０００９】
このため、ユーザは、自分の記憶から、その注意喚起された高頻度視聴の裏番組がどのような内容の番組であるかを思い出したり、あるいは、テレビ番組表などを参照してその番組内容を知った後、チャンネルを切り換えるなどを行なうようにしなければならず、非常に不便であると共に、チャンネル切り換えが遅れることにより、たとえば推理ドラマの最初の部分を見逃してしまったり、話の筋が分からなくなってしまうという問題が生じるおそれがある。
【００１０】
そこで、ＶＴＲなどの記録再生装置を用いて、この高頻度視聴チャンネルの番組を予約録画をしておくことが考えられるが、一般に予約録画の操作は煩雑であると認識しているユーザが多く、操作間違いなども考慮すると、ユーザが常にこの予約録画の機能を使用する状況は期待することができない。
【００１１】
この発明は、以上の点にかんがみ、ユーザの好む高頻度視聴番組は、確実に記録しておくことができるようにする放送受信装置および高頻度受信番組自動記録方法を提供しようとするものである。
【課題を解決するための手段】
【００１２】
上記課題を解決するため、この発明による放送受信装置は、
選局制御信号に応じて、放送波から所望の放送番組を選択する選局手段と、
ユーザの選局操作に応じて前記選局制御信号を発生する選局制御信号発生手段と、
前記ユーザの選局操作があったときに、前記選局手段での選局内容を、前記ユーザの好みの番組の候補として記憶する記憶手段と、
前記放送波から選択される放送番組の信号を記録媒体に記録するようにする放送番組記録手段と、
前記記憶手段の記憶内容を調べ、前記ユーザの好みの放送番組があるかどうか判定する判定手段と、
前記判定手段での判定結果により前記ユーザの好みの番組の存在を検知したときに、前記選局制御信号発生手段を制御して、前記ユーザの好みの放送番組を選択するようにする選局制御信号を発生させると共に、前記ユーザの好みの放送番組の信号を、前記放送番組記録手段により自動記録するように制御する制御手段と
を備え、
前記記憶手段に記憶された前記選局手段での選局内容の情報には、前記ユーザの好みに応じて重み付けが施され、
前記制御手段は、前記記憶手段に記憶された前記重み付けが施された情報を基にして前記判定手段により判定された前記ユーザの好みの番組を自動記録する
ことを特徴とする。
【００１３】
また、請求項２の発明は、請求項１に記載の放送受信装置において、
前記プログラム対応チャンネルのそれぞれの視聴頻度についての重み付けは、前記ユーザの操作入力により設定される
ことを特徴とする。
【００１４】
また、請求項３の発明は、請求項１に記載の放送受信装置において、
前記プログラム対応チャンネルのそれぞれの視聴頻度についての重み付けは、前記ユーザの番組選択の動向に基づいて、決定される
ことを特徴とする。
【００１５】
上記のように構成した請求項１の発明によれば、記憶手段の内容から、現時点と同曜日、同時刻において、ユーザの好みの放送番組がある場合には、その放送番組が選択され、記録手段により自動記録される。
【００１６】
この場合に、記録手段の選局手段での選局内容の情報には、放送番組ごとに重み付けがされているので、ユーザが、より重要とする、あるいは、より好む放送番組が自動記録されるものである。
【発明の効果】
【００１７】
この発明によれば、ユーザは、いつも受信している高頻度受信番組を視聴し損なったとしても、記録手段に記録された当該番組を再生することにより、いつでも視聴することができるようになる。
【発明を実施するための最良の形態】
【００１８】
以下、この発明による放送受信装置の実施形態を図を参照しながら説明する。
【００１９】
図１は、この発明による放送受信装置の実施形態のブロック図である。この実施形態は、地上波を用いたアナログテレビ放送波の受信用の放送受信装置の場合である。
【００２０】
この例の放送受信装置は、表示画面の一部の小領域に小画面を表示することができる、いわゆるピクチャー・イン・ピクチャー（以下、ＰｉｎＰという）の機能を有すると共に、録画再生装置部を内蔵して、いわゆる裏番組の録画が可能なように構成されている。このため、この例の放送受信装置は、チューナを二つ有する、いわゆるダブルチューナの構成の場合とされている。ただし、この例では、チューナの一方はＰｉｎＰの子画面に画像を表示するためと、録画のソース用としてのみ用いられるようにされている。したがって、この例では、ＰｉｎＰの親子画面の切り換え機能は有していない。
【００２１】
以下の説明においては、ＰｉｎＰおよび録画用の信号系はサブとし、その他はメインの信号系として説明する。
【００２２】
図１おいて、１Ｍはメインチューナ、１Ｓはサブチューナである。アンテナで受信された放送電波は分配され、これらメインチューナ１Ｍおよび１Ｓに供給される。これらチューナ１Ｍおよび１Ｓでは、後述するマイクロコンピュータによって構成される制御回路１００からの選局制御信号によって、所定のプログラム対応チャンネルの選局が行なわれる。この場合、選局制御信号は、ユーザのリモートコマンダなどを通じた選択操作に応じて制御回路１００で生成される場合と、後述する高頻度受信番組の自動録画の場合や、高頻度受信番組のＰｉｎＰの子画面表示のためなどのように、ユーザの選択操作に関係なく、制御回路１００自身において生成される場合とがある。
【００２３】
これらチューナ１Ｍおよび１Ｓは、選局した放送波信号を、映像中間周波信号に変換して、それぞれ映像中間周波および検波回路２Ｍおよび２Ｓに供給する。そして、これら回路２Ｍおよび２Ｓにおいて、中間周波信号が増幅されると共に、ビデオ信号およびオーディオ信号が復調される。
【００２４】
映像中間周波および検波回路２Ｍからの復調されたビデオ信号は、スイッチ回路ＳＷ１の一方の入力端ＴＶに供給され、また、復調されたオーディオ信号はスイッチ回路ＳＷ３の一方の入力端ＴＶに供給される。
【００２５】
また、映像中間周波および検波回路２Ｓからの復調されたビデオ信号は、録画再生装置部１０にその録画ソースとして供給されると共に、スイッチ回路ＳＷ２の一方の入力端Ｓに供給される。映像中間周波および検波回路２Ｓからの復調されたオーディオ信号は、録画再生装置部１０にのみ供給される。これはＰｉｎＰとして表示される子画面の音声は、一般に再生されないためである。
【００２６】
そして、録画再生装置部１０からの再生ビデオ信号は、スイッチ回路ＳＷ１の他方の入力端ＶＴおよびスイッチ回路ＳＷ２の他方の入力端ＶＴに供給される。さらに、録画再生装置部１０からの再生オーディオ信号は、スイッチ回路ＳＷ３の他方の入力端ＶＴに供給される。
【００２７】
スイッチ回路ＳＷ１、ＳＷ２、ＳＷ３は、制御回路１００からの切り換え信号によって、切り換えられる。スイッチ回路ＳＷ１とスイッチ回路ＳＷ３とは、メインチューナ１Ｍからの信号を選ぶか、録画再生装置部１０からの再生信号を選ぶかの切り換え回路であり、これらの回路ＳＷ１，ＳＷ３に対する切り換え信号は共通である。
【００２８】
すなわち、メインチューナ１Ｍで選局した放送番組をユーザが視聴したいとして、後述するリモコンにより選択操作を行なったときは、スイッチ回路ＳＷ１およびＳＷ３は、一方の入力端ＴＶ側に切り換えられ、録画再生装置部１０を再生モードとして、その再生されたビデオ信号およびオーディオ信号を視聴しようとユーザが選択操作したときには、スイッチ回路ＳＷ１およびＳＷ３は、他方の入力端ＶＴ側に切り換えられる。
【００２９】
また、スイッチ回路ＳＷ２は、ＰｉｎＰの子画面としてサブチューナ１Ｓで選局された番組のビデオ信号を選択するか、録画再生装置部１０の再生ビデオ信号を選択するかの切り換え回路であって、ユーザがＰｉｎＰの子画面としてサブチューナで選局したものを選択するときには、一方の入力端Ｓ側に切り換えられ、録画再生装置部１０の再生ビデオ画面を視聴するときには、他方の入力端ＶＴ側に切り換えられる。
【００３０】
スイッチ回路ＳＷ１から得られるビデオ信号は、映像信号処理回路３Ｍを介してＰｉｎＰ合成回路４に供給される。また、スイッチ回路ＳＷ２から得られるビデオ信号は、映像信号処理回路３Ｓを介して、このＰｉｎＰ合成回路４に供給される。映像信号処理回路３Ｓでは、ＰｉｎＰの子画面として表示するように、その入力ビデオ信号の画サイズを圧縮する処理を行なう。
【００３１】
そして、ＰｉｎＰ合成回路４には、制御回路１００から、ＰｉｎＰ表示を行なうときに、その制御信号が供給され、映像信号処理回路３Ｓからのビデオ信号が、子画面として重畳されるように合成される。ＰｉｎＰ表示が行なわれないときには、このＰｉｎＰ合成回路４では映像信号処理回路３Ｍからのビデオ信号をそのまま出力する。
【００３２】
ＰｉｎＰ合成回路４からのビデオ信号は重畳表示処理回路５に供給される。この重畳表示処理回路５には、後述する文字、図形等の信号が供給され、画面にスーパーインポーズや、警報マークなどの状態で重畳表示されるような処理が、この重畳表示処理回路５に制御回路１００から供給される制御信号によって、適宜行なわれる。重畳表示すべき信号は、後述するように、制御回路１００の制御に従って発生するものである。この重畳表示処理回路５からのビデオ信号は、この例では、ＣＲＴディスプレイ６に供給されて、その画面にチューナ１Ｍ，１Ｓで受信された放送番組の画像や録画再生装置部１０の再生信号による画像がカラー表示される。
【００３３】
また、スイッチ回路ＳＷ３から得られたオーディオ信号は、音声処理回路７を介してオーディオアンプ８に供給され、スピーカ９によって再生される。この例においては、制御回路１００からの制御信号によって、このアンプ８において、再生音声の音量コントロールや音質コントロールが行なわれるものである。
【００３４】
録画再生装置部１０は、この例では、８ミリビデオ等の磁気テープを記録媒体としたビデオテープレコーダと同等の構成により実現されており、その構成は、周知であるので省略する。
【００３５】
次に、制御回路１００について説明する。なお、この例の放送受信装置は、ＡＣコンセントに接続された状態で、いわゆる主電源スイッチがオンとされると、リモートコマンダによる電源のオン・オフが可能になり、主電源スイッチが投入された状態では、この制御回路１００は、常に動作状態になっている。
【００３６】
前述もしたように、この制御回路１００は、マイクロコンピュータを備える構成となっており、システムバス１０２に対して、ＣＰＵ１０１と、ＲＯＭ１０３と、ＤＲＡＭ１０４と、ＳＲＡＭ１０５とが接続されている。また、このシステムバス１０２に対して、Ｉ／Ｏポート１１１〜１１７が接続され、種々の信号が入出力されるようにされている。
【００３７】
例えば、メインチューナ１Ｍおよびサブチューナ１Ｓに対しては、Ｉ／Ｏポート１１１を介して選局制御信号が供給される。また、制御回路１００から録画再生装置部１０に対して、記録開始、再生開始、停止、その他の制御コマンドがＩ／Ｏポート１１２を介して供給され、あるいは、この録画再生装置部１０から、そのモードの状態信号が、このＩ／Ｏポート１１２を介して制御回路１００に取り込まれる。スイッチ回路ＳＷ１、ＳＷ２、ＳＷ３への切り換え制御信号はＩ／Ｏポート１１３から供給される。
【００３８】
また、１１は時計回路であって、これは現在時刻を刻むと共に、この例では、後述するように、ＲＯＭ１０３のプログラムを割り込みで起動するときの、その割り込みタイミング信号を生成するタイマーの役割をもしているものである。この時計回路１１には、放送受信装置の電源スイッチがオフであっても電源電圧が投入されている。この例では、図示しないが、時計回路１１は、電池や充電池などの別電源からその電源電圧が投入される。この時計回路１１からの時刻情報およびタイマー情報がＩ／Ｏポート１１４を介してシステムバス１０２に取り込まれる。
【００３９】
また、ＣＰＵ１０１によるプログラムの実行によって、時計回路１１の時刻修正などが行なわれる。この時計回路１１は、時、分、秒だけではなく、年、月、日、曜日までも情報として有するものである。もっとも、この実施例の場合、曜日と時刻の情報さえあれば、後述するチャンネル履歴情報と対応させる時間パラメータとしては充分である。
【００４０】
なお、この明細書において、チャンネル履歴情報とは、曜日と時刻とに対応付けられて、メモリ（後述するＳＲＡＭ１０５）に記憶されるチューナ１Ｍのプログラム対応チャンネルの選択状況の情報（つまり、例えば過去のある曜日のある時刻にはチューナ１Ｍで何チャンネルを選局していたかの情報）であり、この例では、複数週間分の情報である。
【００４１】
ＰｉｎＰ合成回路４およびアンプ８には、Ｉ／Ｏポート１１５を介して制御信号が供給される。
【００４２】
また、重畳表示処理部５に対して、重畳表示を行なうか否かの作業信号はＩ／Ｏポート１１６を介して供給される。この、重畳表示の例としては、チャンネル切り換え時に、何チャンネルに切り替わったかをチャンネル番号で示す表示や、現在の受信チャンネルの表示、音量がどの程度大きくなったかをバー表示で知らせる場合の表示のほか、後述するようなメッセージ表示が挙げられる。
【００４３】
この重畳表示のため、システムバス１０２に対しては、ビデオＲＡＭ１２が接続されている。このビデオＲＡＭ１２には、ＲＯＭ１０３に記録されているキャラクター情報を用いて制御回路１００で形成された文字情報や、記号情報などが一旦蓄えられ、それが画面への重畳表示用として、ＣＰＵ１０１のプログラム制御に従って、ディスプレイコントローラ１３を介して重畳表示処理装置５に供給される。
【００４４】
この場合、ＲＯＭ１０３には重畳表示に必要な文字や記号のフォントデータや、イメージデータが蓄えられており、ＣＰＵ１０１によって、プログラムに従って、必要な文字や記号のフォントデータやイメージデータが読み出され、ビデオＲＡＭ１２の任意のアドレスに転送され、ディスプレイコントローラ１３を介して、重畳表示処理部に供給されることによって、このビデオＲＡＭのイメージデータがビデオ信号と合成され、ＣＲＴディスプレイ６の画面に適宜の時間にわたって表示されることになる。
【００４５】
重畳表示としては、いわゆるスーパーインポーズ等のオーバーレイ処理を施し、ＣＲＴディスプレイ６に表示するようにする。
【００４６】
また、この例の放送受信装置は、リモートコマンダ１４によって各種の制御が、いわゆるワイヤレスで行なわれるようにされており、このリモートコマンダ１４から、例えば赤外線によるリモコン信号が発生すると、これが放送受信装置側のリモコン信号受信／デコード部１５で受光され、その受光されたリモコン信号がデコードされ、そのデコード信号がＩ／Ｏポート１１７を介してシステムバス１０２に供給されるようになっている。
【００４７】
ＣＰＵ１０１は、このＩ／Ｏポート１１７を介して取り込まれたリモコン信号を解釈し、プログラム対応チャンネルの選局、音量制御、ＰｉｎＰ合成制御、重畳表示制御、スイッチＳＷ１〜ＳＷ３の切り換え制御、録画再生装置部１０のモード制御などを行なうようにしている。
【００４８】
ＤＲＡＭ１０４は、主として演算などのワークエリアとして使用される。電源スイッチのオン、オフによるチャンネルや音量のラストメモリ機能や、後述するチャンネル履歴情報の保持のための記録領域としては、ＳＲＡＭ１０５が使用される。この例の場合、ＳＲＡＭ１０５は、いわゆる電池による電源バックアップとされた不揮発性メモリの構成とされている。したがって、放送受信装置が電源オフの状態でも、このＳＲＡＭ１０５の内容はバックアップされており、消えてしまうことがない。
【００４９】
［チャンネル履歴情報の作成処理の第１の例］
この例では、チャンネル履歴情報は、一定時間おきにメインチューナＩＭの選局状態をサンプリングし、その時の選局プログラム対応チャンネルをＳＲＡＭ１０５に書き込んで記憶するようにする。
【００５０】
この実施形態の場合には、時計回路１１からのタイマー情報により、一定間隔毎に割り込み処理として、プログラム対応チャンネルの選局状態をサーチする処理をメインチューナ１Ｍに対して行ない、その時点におけるチューナ１Ｍのプログラム対応チャンネルの選局状態をＳＲＡＭ１０５に記憶する。
【００５１】
この例のチャンネル履歴情報の作成方法においては、ＣＰＵ１０１は、一定間隔毎の割り込みであるので、絶対時間情報として開始の時点のみ知れば、それからの時間経過として各サンプリング点の時間を知ることができるので、それぞれのサンプリング時点の時間情報は、ＳＲＡＭ１０５にそのまま記憶しておく必要はない。
【００５２】
図２および図３は、この場合のチャンネル履歴情報の管理方法のイメージ図を示すもので、ＳＲＡＭ１０５のチャンネル履歴情報のメモリエリアをイメージ化したものである。図２Ａ、図２Ｂおよび図３において、矢印で示す位置は、ポインタＰの位置である。このポインタＰは、現在、どの時点のメモリエリアであるかを示すものであって、図３に示すように、イメージ的にはＳＲＡＭ１０５のメモリエリアはチャンネル履歴データとしては、リング構造の管理を行なうものである。
【００５３】
この例においては、現時点よりも以前のｎ（ｎは２以上の整数）週間のチャンネル履歴情報をＳＲＡＭ１０５に常に記憶するようにするもので、ｎ週間前よりも古い情報を捨てながら、順次に新しいチャンネル履歴情報を逐次に蓄積するようにするものである。
【００５４】
すなわち、この例においては、例えば１０分毎にチューナ１Ｍに対してチャンネル履歴取得のための検査を行ない、その結果得られたチャンネル履歴の情報は、図２に示すように、１０分間隔で連続したアドレス空間によって管理される。そして、図３に示すようなリング構造の記憶エリアがいっぱいになったとき、図２Ｂに示すように、最も古いチャンネル履歴データを破棄し、新規に取り込んだ現在のチャンネル履歴データを、メモリに格納していくような記憶方法を取る。
【００５５】
この場合、このＳＲＡＭ１０５に記憶されるチャンネル履歴データは、前述したように少なくとも複数週間分にわたって記憶される。そして、ＣＰＵ１０１は、ＳＲＡＭ１０５のこのチャンネル履歴データを、曜日毎に管理できるようになっている。これは、１０分間隔であれば、その１４４倍が１日分であり、その７倍が一週間であることから、チャンネル履歴データの個数を計数するだけで簡単に管理することができるからである。
【００５６】
この場合、前述した割り込み処理によるチャンネル履歴データの取り込みは、××時０１分、××時１１分、××時２１分、××時３１分などのように、実際に番組が始まった時間に起動される。
【００５７】
ＳＲＡＭ１０５のチャンネル履歴データの格納エリアへのチャンネル履歴データの記憶に先立ち、このエリアは初期化される。つまりクリアされる。これと同時に履歴記憶用の前記ポインタ位置も、初期化されることになる。この初期化によって、過去の履歴情報はクリアされるので、この初期化の設定は、例えば放送受信装置において、リモコンデータとプログラム放送チャンネルとの割り付けや、時計回路１１への現在時刻の登録などの契機に行なわれるものである。
【００５８】
ここで、リモコンボタンとプログラム放送チャンネルとの割り付けとは、例えば、ユーザがリモコンボタンの特定のチャンネルを、いずれかのプログラム対応チャンネル（放送局）に割り付けるような操作のことである。一般に、このチャンネル設定などは放送受信装置の購入時に行なわれるが、適宜、ユーザによって行なわれる場合もある。
【００５９】
なお、この例の場合、リモートコマンダ１４には、チャンネル履歴リセットボタンが設けられており、このリセットボタンを押すことにより、ＳＲＡＭ１０５のチャンネル履歴エリアの内容を、上述と同様に初期化することができる。これは、一般に、例えば日本のテレビ放送の場合、春と秋とで番組内容が大幅に変更されることを考慮し、その番組変更の時に、ユーザによってリセットされることにより、番組変更されたにもかかわらず、過去の履歴によりユーザによる高頻度視聴チャンネルとして、誤って選択されてしまうことがないようにするためのものである。
【００６０】
次に、この例の場合のチャンネル履歴の記録動作について、図４のフローチャートを参照しながら説明する。  
すなわち、この例の場合、前述したような実際に放送が行なわれていると考えられる１０分おきの時間で割り込みがかかると（ステップＳ０）、このチャンネル履歴データの取り込み処理ルーチンが起動される。
【００６１】
そして、次のステップＳ１において、ＳＲＡＭ１０５のチャンネル履歴メモリ空間においてポインタを更新する。このポインタの更新は、新しいデータエリアの確保になり、このステップＳ１では、当該新たに確保されたデータエリアをヌルクリア（０にする）する処理も同時に行なう。この例の場合、ＳＲＡＭ１０５のチャンネル履歴のメモリエリアは、前述したようにリング状の管理が行なわれているので、リング状のチャンネル履歴データエリアがいっぱいになった後には、ポインタの更新の処理には、最も古いチャンネル履歴データの破棄を伴うことになる。
【００６２】
そして、この場合、ポインタの更新による新しいデータエリアのアドレスが、リング状メモリエリアの最終アドレスを越えてしまう場合には、ポインタを先頭アドレスにリセットする。
【００６３】
この場合、放送受信装置の主電源スイッチがオンである間は、ステップＳ０を通じての、この例の場合には、１０分毎に起動がかかるが、放送受信装置の主電源スイッチがオフである間は、この図４の処理ルーチンへの割り込み処理は起動されない。そこで、この例では、時計回路１１は別電源で動作しているので、その時間情報を用いて、このステップＳ１においては、次の主電源オンの後の最初の割り込みタイミングで、主電源オフである間に行なわれるべき、チャネル履歴エリアの更新処理が行なわれる。
【００６４】
すなわち、この例では、ＳＲＡＭ１０５に主電源スイッチがオフされる直前に行なわれた割り込みタイミングの時間を保持するようにしておく。そして、その後、放送受信装置の主電源スイッチがオンとされ、割り込みタイミングとなったときには、ＳＲＡＭ１０５の前記主電源スイッチがオフされる直前に行なわれた割り込みタイミングの時間を参照して、その間に行なわれるべき割り込み回数を検知し、その割り込み回数分のポインタの更新と、更新される個数分の各データエリアのすべてをヌルクリアするようにする。そして、現時点における割り込みタイミングに対応するデータエリアまでの更新を行なう。
【００６５】
こうして、ポインタの更新と新しいデータエリアの確保が行なわれると、ステップＳ２に進み、現在、放送を視聴中か否かをチェックする。すなわち、記録再生装置部１０が再生モードであって、これを視聴している場合には、ここで言うテレビの視聴とはしない。
【００６６】
そして、放送波の視聴が行なわれている場合には、ステップＳ２からステップＳ３に進み、そのときにチューナ１Ｍで選択されているプログラム対応チャンネルの情報を新しく確保したデータエリアに記憶する。この記憶するプログラム対応チャンネルの情報内容としては、チャンネル番号でも良いし、あるいはチューナ１Ｍに供給された選局制御データであっても良い。
【００６７】
一方、放送波の視聴が行なわれていないとステップＳ２で判断されたときには、ステップＳ４に進み、新しく確保されたデータエリアに「０」をセットする。なお、この例では、前述のステップＳ１での放送受信装置の主電源オフの間に対する処理により、放送受信装置に主電源が投入されていない場合も、同様にしてチャネル履歴のデータエリアには「０」が保持されており、この状態も、テレビ放送の視聴が行なわれていない状態とされることになる。
【００６８】
ステップＳ３あるいはステップＳ４の処理を終了した後には、ステップＳ５からこのルーチンを終了する。
【００６９】
こうして、この例では、ＳＲＡＭ１０５の複数週間分のチャンネル履歴エリアに、１０分毎に、その時点で視聴されている放送波のプログラム対応チャンネルの情報が、新しい履歴として残されていく。そして、前述もしたように、この複数週間分のチャンネル履歴エリアがいっぱいであるときには、古い履歴を捨てながら、新しいチャンネル履歴情報が逐次書き込まれてゆく。
【００７０】
図５は、１日分のチャンネル履歴情報を、また、図６は３週分のチャンネル履歴情報を、それぞれテーブルの形式で表した例を示すものであり、各チャンネル履歴データエリアＤchには、この例ではプログラム対応チャンネル番号の情報が記憶されている。なお、データエリアＤchの左横に示した時刻は、各チャンネル履歴データの取り込み時刻であって、この例の場合には、これらの時刻は、前述したように、データエリアＤchに記憶する必要はない。
【００７１】
この例では、後述する高頻度視聴チャンネルの存否の判定のためにチャンネル履歴情報を参照するに当たって、チャンネル履歴情報を取り込んだ時点の前後が、そのチャンネルを視聴している確立が高いとして判断するようにされている。このチャンネル履歴データの取り込み時点の前後の間隔としては、たとえば前述の１０分間隔でチャンネル履歴データを取り込む場合であれば、±５分となるものである。
【００７２】
この例の場合には、１０分単位でチャンネル履歴が更新されるので、１日では６×２４＝１４４個の履歴データが格納される。したがって、一週間では１４４×７＝１００８個の履歴データが記録されることになる。この場合に、１つのチャンネル履歴データを１バイト長とすると、１週間で１００８バイトとなる。前述したように、複数週間分の履歴を取る必要があるので、１００８バイトの整数倍分のメモリエリアが、ＳＲＡＭ１０５にチャンネル履歴エリアとして設定されることになる。
【００７３】
前述もしたように、この例の場合には、チャンネル履歴データのテーブルは、図５および図６に示すようなものであり、１日および１週間当たりの履歴データ数が定まっているので、現時点から１週間前、２週間前のように相対的な時間関係にあるデータエリアがわかれば、過去の同一時刻のチャンネル履歴データが容易に得ることができる。したがって、ＳＲＡＭ１０５に記憶するチャンネル履歴情報としては、前述したように、各履歴データの取り込み時刻の絶対時間の情報は必要ではない。しかし、時計回路１１には、絶対時刻が設定されている必要である。高頻度視聴チャンネルがあるか否かの検査時は、チャンネル履歴をこの時計回路１１に示される時刻を基準として、チャンネル履歴情報のテーブルを参照することになるからである。
【００７４】
したがって、時計回路１１の現在時刻の設定がやり直されたときには、この時計回路１１から割り込みタイマー情報も得ていることも相俟って、チャンネル履歴メモリ（チャンネル履歴テーブル）およびそのポインタについては、前述の初期化が行なわれる。
【００７５】
なお、以上の例では、時間経過に伴ってポインタを一定量ずつ更新するようにしたので、放送受信装置の主電源がオフである間は、前述したように、ポインタの更新とデータエリアのヌルクリアが繰り返されることになる。そこで、放送受信装置の主電源スイッチがオフからの、次の主電源オン時に、この主電源オフの間に行なわれるべき割り込み回数を検知し、チャンネル履歴メモリエリアに記録するデータとしては、その回数分のヌルデータの連続を表すコード、例えば１６進表示で［ＦＦ＊＊］（＊＊はヌルデータの個数を表す）を記録するようにして、メモリエリアの節約を計るようにすることもできる。
【００７６】
なお、以上の例では、１０分間隔で、チャンネル履歴情報の取り込みを行なうようにしたが、１５分毎、３０分毎でもよく、また、チャンネル履歴情報のメモリエリアが十分に大きい場合には、１分毎や５分毎でもよい。ただし、番組の放送時間が３０分または６０分単位であることから、この例のように周期的にチャンネル履歴情報の取り込みを行なう場合には、８分毎や９分毎などの単位外れが生じるようなタイミングでないほうがよい。
【００７７】
また、常に一定の時間間隔で、チャンネル履歴情報の取り込みを行なうのではなく、一般に視聴率の高いプライムタイムと呼ばれる時間帯は、細かい周期でチャンネル履歴情報の取り込みを行ない、その他の時間は粗い周期で取り込みを行なうようにしてもよい。
【００７８】
［高頻度視聴チャンネルの処理］
次に、この実施形態における、チャンネル履歴情報を用いた高頻度視聴チャンネルに関する処理について説明する。
【００７９】
この場合、前述したチャンネル履歴データの取り込み処理タイミングとは、異なるタイミングで過去のチャンネル履歴を調べ、高頻度で視聴しているプログラム対応チャンネルがあるか否かを調べる。ここで、異なるタイミングとは、前述のチャンネル履歴データの取り込み処理タイミングが、実際に番組が始まっている時間に起動することが好適であるのに対して、過去の履歴を調べて適当な処理を行なう場合には、番組が実際に始まるタイミングあるいはその直前で起動したほうがよいということに起因する。
【００８０】
すなわち、前述したチャンネル履歴データの取り込みは、××時０１分、××時１１分、××時２１分、××時３１分などのように、実際に番組が始まった時間に起動される。これに対して、過去の履歴を用いた以下の処理は、××時００分、××時１０分、××時２０分、××時３０分あるいは××時２９分、××時５９などのように、番組が始まるタイミング、あるいはその直前が好ましい。この例では、後述するように、高頻度視聴チャンネルの番組は、自動録画するようにすることもあるので、録画を開始あるいは終了するタイミングで起動させる方がよいこともその理由である。
【００８１】
次に、チャンネル履歴データを用いて、過去の履歴を集計し、高頻度視聴チャンネルが、その時刻にあるか否かを判定する。ここで、それぞれ１回選局したチャンネルをそのまま頻度１とするのではなく、ユーザの好みによって特に視聴したい番組については、頻度データに重み付けを施すようにする。この重み付けのために、リモートコマンダに、ユーザが視聴チャンネルについて重み付けを行なうための重み付けボタンを設けるように構成する。
【００８２】
そして、高頻度視聴チャンネルがあると判定された場合に、当該高頻度視聴チャンネルの番組を自動録画すると共に、ユーザがそのチャンネルを視聴していないときに、その存在を番組内容と共に知らせるようにする。この処理について、図７のフローチャートを参照しながら説明する。
【００８３】
まず、前述したように、チャンネル履歴の取り込みタイミングと異なるタイミングで一定周期の割り込みがかかると（ステップＳ１０）、この処理ルーチンが起動される。
【００８４】
そして、ステップＳ１１に進み、現時点と、同曜日、同時刻の過去のチャンネル履歴を、ＳＲＡＭ１０５のチャンネル履歴データテーブルを参照して調べる。そして、その時刻にいつも見ているプログラム対応チャンネル（高頻度視聴チャンネル）があるか、そして、そのプログラム対応チャンネルは何チャンネルであるかの情報を抽出する。
【００８５】
この場合、高頻度視聴チャンネルがあるかどうかの判定は、予め設定されていた頻度のスレッショールド値を越えたか否かより判定されるものである。すなわち、高頻度視聴チャンネルとは、放送受信装置に電源が入っている状態と、いない状態とを含めて、所定パーセント以上視聴されているチャンネルの意味であり、電源が入っていない場合の履歴の影響をできるだけ除去するようにしている。つまり、この例の場合、過去にその時刻でテレビ電源がオフで、放送を見ていない場合には、０と設定されてしまうが、それも視聴頻度の回数を計算するときのデータとする。
【００８６】
たとえば、過去３週間にわたって、チャンネル履歴を保存しておくのであれば、そのうちの２週間連続して視聴されたチャンネルがあれば、それを高頻度視聴チャンネルとして判定し、いつもはテレビを見ていないが、１回でも、あるチャンネルを選局した履歴があれば、それをいつも見ているチャンネルとするわけではない。
【００８７】
なお、このように過去の履歴から高頻度視聴チャンネルを判断する上で、ＳＲＡＭ１０５に設定されるチャンネル履歴情報のメモリエリアの大きさは、放送局の番組替えの期間を越えないような容量とするほうが都合がよい。たとえば、日本の放送局では１年を４クールに分けて、その都度、番組編成を行なっているので、最大３カ月分の履歴を過去の情報としてＳＲＡＭ１０５に取り込むようにするほうがよい。
【００８８】
次に、ステップＳ１１からステップＳ１２に進み、放送受信装置の記録再生装置部１０で、既に自動録画が行なわれているかどうかをチェックする。前述したように、ここで言う自動録画とは、いつもの高頻度チャンネルを録画することであり、ユーザが設定した時刻に番組を録画する予約録画ではない。
【００８９】
ここで、自動録画中でなければ、ステップＳ１５に飛ぶ。また、ステップＳ１２において、自動録画中であると判断されれば、ステップＳ１３に進んで、ステップＳ１１でのチャンネル履歴データの調査結果を参照して、高頻度視聴チャンネルがない時間になったか、あるいは、高頻度視聴チャンネルがあっても、その高頻度視聴チャンネルが現在自動録画されているチャンネルとは異なっていないかどうかをチェックする。
【００９０】
どちらでもない場合には、自動録画中の高頻度視聴チャンネルは、その割り込みタイミングでも、過去に高頻度視聴チャンネルとされていたことを示すので、自動録画を続け、ステップＳ１５に飛ぶ。
【００９１】
また、ステップＳ１３で高頻度視聴チャンネルでない時間になった場合、また、高頻度視聴チャンネルが履歴テーブルから検出されても、それが自動録画中のものとは異なったチャンネルとなっている場合には、ステップＳ１４に進み、記録再生装置部１０における自動録画を中止する。そして、ステップＳ１５に進む。
【００９２】
ステップＳ１５では、ステップＳ１１でのＳＲＡＭ１０５のチャンネル履歴データの調査結果を参照して、同時刻にいつも見ている高頻度視聴チャンネルがあるかないか判定し、なければステップＳ２３からこの処理ルーチンを抜け、終了する。
【００９３】
このステップＳ１５において図６のチャンネル履歴テーブルを参照して、過去の履歴から高頻度視聴チャンネルを判定する場合を説明する。前述したように、この例は、３週間分の履歴が存在している場合として示してあり、図７のフローチャートが起動される割り込み処理タイミングと同じ曜日、同じ時刻の過去の視聴履歴が参照される。そして、この同じ曜日、同じ時刻で、一定パーセント以上の視聴頻度があるプログラム対応チャンネルがあった場合に、それを高頻度視聴チャンネルと判定する。
【００９４】
したがって、図６の例においては、００時２１分の場合には、放送番組を視聴していないことを示す「０」が２週間分あり、先々週に１０チャンネルを見ていたため、これが最も多い視聴チャンネルとなっているが、視聴頻度が３分の１であるので、いつも見ているチャンネル、つまり高頻度チャンネルとされない。
【００９５】
一方、現在時刻が１９時０１分の場合においては、１２チャンネルが３週間とも選択されているので、これが高頻度視聴チャンネルとして判定されることになる。このように、毎週見ている、つまり１００％の割合で見ているチャンネルを高頻度視聴チャンネルとするのではなく、たとえば３分の２（６６％）以上を高頻度視聴チャンネルと判定するようにしてもよい。
【００９６】
そして、ステップＳ１５で高頻度視聴チャンネルがあると判断された場合には、ステップＳ１６に進み、放送受信装置に電源が投入されており、番組を視聴中かどうかをチェックする。そして、放送波を視聴中であれば、ステップＳ１７に進み、現在視聴しているプログラム対応チャンネルが、ステップＳ１５で検出した高頻度視聴チャンネルか否かをチェックする。
【００９７】
同じチャンネルであれば、ステップＳ３２からこのルーチンを抜け、終了する。もし、違ったチャンネルであれば、ステップＳ１８に進み、ユーザに注意を喚起するメッセージ、例えば「いつもはＡチャンネルを見ています。」などの文字表示や、高頻度視聴チャンネルが他にあることを示すアイコンなどの絵記号をディスプレイに表示する。
【００９８】
これと同時に、制御回路１００は、サブチューナ１Ｓに対して、高頻度視聴チャンネルを選局するための選局制御信号を供給し、ディスプレイに、ＰｉｎＰの子画面として、その高頻度視聴チャンネルで受信された映像内容を一定時間表示する。つまり、いつも見ている高頻度視聴チャンネルの映像を一定時間ＰｉｎＰ表示する。
【００９９】
ユーザは、ディスプレイのメッセージや絵記号により、いわゆる裏番組にいつも見ている番組があることを知り、かつ、その番組内容をＰｉｎＰの子画面において知ることができる。したがって、ユーザはその高頻度視聴チャンネルの番組内容を確認して、その時点においても視聴したいと思うときには、チューナ１Ｍに対するチャンネル切り換えにより、その高頻度視聴チャンネルの番組を即座に視聴することができる。
【０１００】
そして、ステップＳ１９に進み、ユーザが、高頻度視聴チャンネルを選択する選局操作をせずに一定時間経過したか否かを検知する。もしも、ユーザが高頻度視聴チャンネルに、現在メインチューナ１Ｍで視聴するチャンネルを変更した場合には、ステップＳ２３からこの処理ルーチンを抜ける。ＰｉｎＰの表示は、適宜、ユーザが消去する。
【０１０１】
一方、一定時間経過しても、ユーザがチャンネル変更を行なわない時には、ＰｉｎＰにおける子画面表示を消去し、ステップＳ２１に進む。また、ステップＳ１６で、高頻度視聴チャンネルがあるにもかかわらず、テレビ放送波を視聴中でない（放送受信装置の電源オフも含む）のと判断された場合にも、ステップＳ２１に進む。
【０１０２】
ステップＳ２１では、記録再生装置部１０で録画中であるか否かを判定する。つまり、高頻度視聴チャンネルの自動録画が始まっていたり、あるいは、記録再生装置部１０で予約された番組の録画が行なわれていたり、ユーザの強制操作によって、録画状態にされているか否かを検知する。
【０１０３】
もし、記録再生装置部１０が録画状態であれば、この録画状態を優先して、ステップＳ２１からステップＳ２３に飛び、このルーチンを抜ける。ステップＳ２１で録画中でないと判定されたときには、記録再生装置部１０において、ステップＳ１５で判定された高頻度視聴チャンネルの録画を開始する。この場合の録画ソースは、前述したようにサブチューナ１Ｓである。このため、もしも放送受信装置に電源が入っていない場合は、ディスプレイの部分への電源供給は行なわないが、サブチューナ１Ｓ、映像中間周波増幅および検波部２Ｓと、記録再生装置部１０とに電源が投入され、録画処理が行なわれる。
【０１０４】
図８は、ステップＳ１８で行なわれるメッセージ表示例およびＰｉｎＰの子画面表示の例であり、この例では、１０チャンネルをユーザが視聴中であるときに、いつもは、同時刻に高頻度視聴チャンネルとして４チャンネルを視聴していることの注意喚起をメッセージにより行なうと共に、このメッセージに加えてＰｉｎＰによる子画面により、その高頻度視聴チャンネルである４チャンネルの番組内容がＰｉｎＰの子画面に表示されている。
【０１０５】
なお、以上の例のようにして自動録画が行なわれた場合に、ＣＰＵ１０１はその自動録画を行なった履歴を、ＳＲＡＭ１０５に記憶しておき、これを随時読み出して、図９に示すように、録画履歴内容を表示するようにする。
【０１０６】
すなわち、ＣＰＵ１０１は自動録画を開始したタイミングと、その録画の終了時刻およびチャンネル情報をＳＲＡＭ１０５に順次記憶していく。そして、ユーザは、例えばリモートコマンダの録画履歴呼出ボタンを操作すると、図９の画面が呼び出される。そして、この図９の画面において、リモートコマンダのアップダウンカーソルキーによって選択した録画内容を再生して、番組を楽しむことができる。
【０１０７】
なお、以上の例の場合は、頻度データに重み付けを施すために、リモートコマンダに、ユーザが視聴チャンネルについて重み付けを行なうための重み付けボタンを設けるように構成したが、後述するデジタルテレビ放送の場合には、番組選択時のメニュー選択の時のユーザの番組選択の動向により、視聴頻度についての重みづけをするようにしてもよい。例えば、あるユーザはニュースやドラマを選択することが多いという場合には、ニュースやドラマについてのチャンネル履歴は１回選択すると、これを２倍、２回選択したのと同様とするように、頻度情報に重み付けをするようにするとよい。
【０１０８】
また、上述の例では、ＶＴＲを記録再生装置部１０に使用するようにしたが、記録再生装置部１０の入力側にＡ／Ｄコンバータを設け、出力側にＤ／Ａコンバータを設けることによって、光磁気ディスクにデジタルデータとして記録を行なうようにしてもよい。このように、ディスクにビデオ信号およびオーディオ信号を記録し、再生する場合であれば、録画内容は、シーケンシャルに記憶されるわけではないので、録画予約によって記録された部分だけをオーバーライト禁止にして、自動録画を続けることもできる。
【０１０９】
したがって、記録再生装置部１０として前述したＶＴＲを使用する場合のように、録画予約が行なわれていたとき等に、自動録画を行なわない処理をする必要がなく、また録画終了を待ってユーザが再起動を行なう必要もない。
【０１１０】
なお、上述の例では、記録再生装置部は放送受信装置の内部に内蔵させたが、放送受信装置にコントロール信号端子を有するＶＴＲ用のコネクタジャックを設け、これに接続されたＶＴＲに対して、録画コマンドと、高頻度視聴チャンネルを選局する選局制御信号とを、放送受信装置の制御回路１００から送るようにすれば、記録再生装置部は外部のものであってももちろんよい。
【０１１１】
［高頻度視聴チャンネルの記録処理の第２の例］
以上の第１の例では、一定時間周期でチューナ１Ｍの選局状態を検査し、チャンネル履歴データを作成するようにしたが、この第２の実施例では、ユーザが選局操作をしたときに、その選局内容をチャンネル履歴データとしてメモリに取り込み、また、その選局操作タイミングで過去の履歴データを参照して、高頻度視聴チャンネルがあったか否かを判定し、前述のようにメッセージ表示およびＰｉｎＰ表示、さらには自動録画をするように構成する。
【０１１２】
すなわち、ユーザのリモートコマンダによる選局操作や、放送受信装置に設けられているチャンネル選択ボタンの押下の契機で、選択されたチャンネル番号と、その時点の時刻情報等とを、ＳＲＡＭ１０５のチャンネル履歴テーブルとして記録する。この場合には、任意のタイミングで選局操作が行なわれることから、選局されたプログラム対応チャンネル番号の情報（あるいはその選局制御信号データでもよい）と、その時刻情報が、チャンネル履歴テーブルに記録される。
【０１１３】
そして、このリモコン信号の受信時、あるいはボタン押下の契機で、過去のチャンネル履歴テーブルを調べ、同じ曜日、同時刻に前述と同様にある一定頻度以上に視聴されているプログラム対応チャンネルがあるか否かを判定し、あればそれを高頻度視聴チャンネルと判定する。そして、前述と同様に、メッセージ表示およびＰｉｎＰの子画面表示を行なうと共に、自動録画を、適宜、行なうようにする。
【０１１４】
なお、以上の例では、録画再生装置部１０を備え、高頻度チャンネルの信号を、所定の条件の下において、自動録画するようにしたので、ＰｉｎＰの親子画面の切り換えができないようにしたが、ＰｉｎＰの親子画面の切り換えができる放送受信装置に、この発明を適用することができるのは、言うまでもない。
【０１１５】
また、放送波の視聴中でなく、ＶＴＲの再生画を視聴中のときに、高頻度チャンネルが裏番組として存在することを、ＰｉｎＰの子画面に表示するようにすることもできる。
【０１１６】
［放送受信装置の他の実施形態］
以上の例は、地上放送波の受信システムの場合について説明したが、現在北米などにおいては、ダイレクトＴＶなどのような、デジタルテレビ放送が行なわれている。このデジタルテレビ放送においては、チューナは２個設ける必要がなく、１個のプログラムセレクターと２個のデコーダでこれを置き換えることができる。そして、放送波の伝送チャンネルと、番組を表すプログラム対応チャンネルとは一致しないので、この場合には選局情報としては、プログラム対応チャンネルの情報をチャンネル履歴情報として記憶することになる。
【図面の簡単な説明】
【０１１７】
【図１】この発明による放送受信装置の実施形態のブロック図である。
【図２】この発明による放送受信装置の実施形態に用いられるチャンネル履歴データの管理方法を説明するための図である。
【図３】この発明による放送受信装置の実施形態に用いられるチャンネル履歴データの管理方法を説明するための図である。
【図４】この発明による放送受信装置の実施形態に用いられるチャンネル履歴データの記憶手順を示すフローチャートである。
【図５】この発明による放送受信装置の実施形態に用いられるチャンネル履歴データの１日分を説明するための図である。
【図６】この発明による放送受信装置の実施形態に用いられるチャンネル履歴データの同曜日の３週分を説明するための図である。
【図７】この発明による放送受信装置の実施形態における高頻度視聴チャンネルの自動録画動作を説明するためのフローチャートである。
【図８】この発明による放送受信装置の実施形態においてディスプレイに表示される画面の例を示す図である。
【図９】この発明による放送受信装置の実施形態において自動録画された内容のディスプレイ表示例を示す図である。
【符号の説明】
【０１１８】
１Ｍ…メインチューナ、１Ｓ…サブチューナ、１０…録画再生装置部、１１…時計回路、  １４…リモートコマンダ、１００…制御回路、１０１…ＣＰＵ、１０３…ＲＯＭ、１０５…チャンネル履歴情報記憶用のＳＲＡＭ
【図１】
2004350316.tif 000003
【図２】
2004350316.tif 000004
【図３】
2004350316.tif 000005
【図４】
2004350316.tif 000006
【図５】
2004350316.tif 000007
【図６】
2004350316.tif 000008
【図７】
2004350316.tif 000009
【図８】
2004350316.tif 000010
【図９】
2004350316.tif 000011